(57)【特許請求の範囲】
【請求項１】
流し台側に開口し、かつ、流し台のバックガードより上方位置で開口するボックス部が形成されてなるキャビネット本体と、上記ボックス部に嵌装される水切り収納体と、該水切り収納体の内底部に着脱自在に装着される水切り体と、を有して構成されてなり、上記水切り収納体は、押出成型により所望の長さ寸法に切断され、かつ、断面略コ字状に形成されていると共に、少なくともその内底部が流し台方向に下がり勾配を有して形成されており、かつ、上記水切り収納体の天板部と底部の表面部には、補強用リブが押出成型により所要条突設されていると共に、該補強用リブの一部には、水切りされた水を流し台のシンクへと流す排水溝を切削形成したことを特徴とする水切りキャビネット。
【請求項２】
流し台側に開口し、かつ、流し台のバックガードより上方位置で開口するボックス部が形成されてなる壁面部と、上記ボックス部に嵌装される水切り収納体と、該水切り収納体の内底部に着脱自在に装着される水切り体と、を有して構成されてなり、上記水切り収納体は、押出成型により所望の長さ寸法に切断され、かつ、断面略コ字状に形成されていると共に、少なくともその内底部が流し台方向に下がり勾配を有して形成されており、かつ、上記水切り収納体の天板部と底部の表面部には、補強用リブが押出成型により所要条突設されていると共に、該補強用リブの一部には、水切りされた水を流し台のシンクへと流す排水溝を切削形成したことを特徴とする水切りキャビネット。
【発明の詳細な説明】
【０００１】
【発明の属する技術分野】
この発明は、例えば、対面式キッチン等に用いられ、流し台と居室内側との間に配設されるカウンターキャビネット等に水切り収納機能を持たせた水切りキャビネットに関する。
【０００２】
【従来技術とその課題】
近年、流し台と居室内との間を開放する所謂対面式キッチンがマンション等で多く見受けられるが、従来の上記対面式キッチンの場合には、流し台と居室内側との間にカウンターキャビネットを配置し、このカウンターキャビネットに食器類等を載置して調理したものの運搬や後片付け等の作業の利便性を図っているのが現状である。
【０００３】
しかしながら、上記従来の対面式キッチン等に用いられるカウンターキャビネットの場合には、単に物を載せる、という機能しか有していないものが殆どであり、カウンターの下部が所謂デッドスペースとなっている、という問題を有していた。特に、流し台の洗浄スペース回りは、手が届く範囲に洗った物を載置するスペースが限られており、使い勝手が良くない、という課題を有していた。
【０００４】
この発明は、かかる現状に鑑み創案されたものであって、その目的とするところは、例えば、対面式キッチン等に用いられ、流し台と居室内側との間に配設されるカウンターキャビネット等に水切り収納機能を持たせることで、カウンターキャビネットのデッドスペースを大幅に削減し、流し台回りの洗い物の収納性を大幅に向上させて使い勝手を改善することができる水切りキャビネットを提供しようとするものである。
【０００５】
【課題を解決するための手段】
上記目的を達成するため、この発明にあっては、水切りキャビネットを、流し台側に開口し、かつ、流し台のバックガードより上方位置で開口するボックス部が形成されてなるキャビネット本体と、上記ボックス部に嵌装される水切り収納体と、該水切り収納体の内底部に着脱自在に装着される水切り体と、を有して構成されてなり、上記水切り収納体は、押出成型により所望の長さ寸法に切断され、かつ、断面略コ字状に形成されていると共に、少なくともその内底部が流し台方向に下がり勾配を有して形成されており、かつ、上記水切り収納体の天板部と底部の表面部には、補強用リブが押出成型により所要条突設されていると共に、該補強用リブの一部には、水切りされた水を流し台のシンクへと流す排水溝を切削形成したことを特徴とするものである。
【０００６】
勿論、この発明にあっては、上記水切りキャビネットを、流し台側に開口し、かつ、流し台のバックガードより上方位置で開口するボックス部が形成されてなる壁面部と、上記ボックス部に嵌装される水切り収納体と、該水切り収納体の内底部に着脱自在に装着される水切り体と、を有して構成されてなり、上記水切り収納体は、押出成型により所望の長さ寸法に切断され、かつ、断面略コ字状に形成されていると共に、少なくともその内底部が流し台方向に下がり勾配を有して形成されており、かつ、上記水切り収納体の天板部と底部の表面部には、補強用リブが押出成型により所要条突設されていると共に、該補強用リブの一部には、水切りされた水を流し台のシンクへと流す排水溝を切削形成することもできる。
【０００７】
【発明の実施の形態】
以下、添付図面に基づき、この発明の実施の一形態例を詳細に説明する。
【０００８】
図１乃至図３は、この発明の実施の一形態例に係る水切りキャビネットＫを示しており、この形態例に係る水切りキャビネットＫは、流し台と居室内側との間に配設されるキャビネット本体３と、上記キャビネット本体３に形成されたボックス部２に嵌装される水切り収納体４と、該水切り収納体４の内底部に着脱自在に装着される水切り体５と、を有して構成されている。
【０００９】
キャビネット本体３は、前面板６と、背面板７と、両側板８，８と天板９及び底板（図示せず）と、から構成されており、上記ボックス部２は、流し台Ｓ側に開口し、かつ、流し台Ｓのバックガード１より上方位置で開口するように形成されている。
【００１０】
また、上記水切り収納体４は、押出成型により押し出し形成され、所望の間口寸法に切断されて用いられるもので、断面形状が略コ字状に形成されて上記ボックス部２に密に嵌装された後、図示はしないが、該水切り収納体４の背面部をビス等でキャビネット本体３の背面板７に固着するように構成されている。このように構成することで、水切り収納体４のキャビネット本体３への取り付け作業及び取り外し作業が簡略化される。
【００１１】
また、上記水切り収納体４は、特に図３に示すように、断面形状が略コ字状に形成された短尺収納体４Ａ及び長尺収納体４Ｂと、この短尺収納体４Ａと長尺収納体４Ｂとの間を仕切る間仕切り体１０と、上記短尺収納体４Ａと長尺収納体４Ｂとの開口端部を閉塞する両側体１１，１２と、から構成されている。
【００１２】
この短尺収納体４Ａと長尺収納体４Ｂは、その底部１３，１３が流し台方向に下がり勾配を有して形成されていると共に、該短尺収納体４Ａと長尺収納体４Ｂの天板部１４，１４と底部１３，１３の表面部には、補強用リブ１５Ａ，１５Ａ’，１５Ｂ，１５Ｂ’，１５Ｃ，１５Ｃ’が押出成型により、この形態例では、３条づつ突設されて形成されている。
【００１３】
また、上記間仕切体１０及び両側体１１，１２は、上記短尺収納体４Ａと長尺収納体４Ｂとの端部形状に合致する形状を有して構成されている。
【００１４】
尚、上記補強用リブ１５Ａ，１５Ａ’，１５Ｂ，１５Ｂ’，１５Ｃ，１５Ｃ’の内、短尺収納体４Ａと長尺収納体４Ｂの開口部下側周縁部を構成する補強用リブ１５Ａ’は、上方にやや突設されて水切り体５が滑落しないように堰部として機能するように形成されていると共に、その一部には、水切りされた水を流し台Ｓのシンクへと流す排水溝１６が切削形成されている。この排水溝１６は、短尺収納体４Ａと長尺収納体４Ｂの両方に形成するのが望ましいが、収納物に対応させて一方に形成しても構わない。
【００１５】
このように構成された短尺収納体４Ａと長尺収納体４Ｂの上記補強用リブ１５Ａは、キャビネット本体３に組み込まれたときには、流し台Ｓのバックガード１の上部に密に載置された状態でセットされるように構成されている。
【００１６】
また、水切り体５は、上記短尺収納体４Ａ側に着脱自在に装着される方５Ａが簀の子状に形成され、また、長尺収納体４Ｂ側に着脱自在に装着される方５Ｂが連続する波板状に形成されているが、この発明ではこれに限定されるものではなく、例えば、パンチング孔が多数開設されたもの等、水切り効果がある公知の各種水切り板を適用することができる。
【００１７】
この形態例に係る水切りキャビネットＫは、上記したように構成されているので、同じ型式の流し台であっても、その間口寸法に対応させて短尺収納体４Ａと長尺収納体４Ｂを所望の長さ寸法に切断して調整することができ、しかも、水切り収納体４は、水槽の奥行側であって手が届く範囲内に配置することができるので、洗い物の仕舞い勝手が良好である、という効果が得られる。
【００１８】
また、この形態例に係る水切りキャビネットＫにあっては、短尺収納体４Ａと長尺収納体４Ｂは、その背面部をビス等でキャビネット本体３の背面板７に固着するように構成されているので、水切り収納体４のキャビネット本体３への取り付け作業及び取り外し作業が大幅に簡略化される、という効果が得られる。
【００１９】
さらに、この形態例に係る水切りキャビネットＫにあっては、前記排水溝１６を任意の位置に形成することができるので水仕舞いが良好であると共に、間仕切り体１０の位置を可変することにより、左右の収納スペースの割合をニーズに対応させて形成することができる。勿論、間仕切体１０を省略しても構わない。
【００２０】
加えて、この形態例に係る水切りキャビネットＫにあっては、水きり体５を着脱自在に形成しているので、洗浄や交換が容易であり、また、収納する物の形状や大きさ等に対応させて水きり体５の表裏を変えて収納することもできる。
【００２１】
尚、上記形態例では、水きり収納体４をキャビネット本体３のボックス部２に嵌装して形成した場合を例にとり説明したが、この発明にあってはこれに限定されるものではなく、例えば、流し台の背面壁等に上記ボックス部２と同様の収納穴部を形成し、この収納穴部に水きり収納体４を嵌装しても同様の効果が得られる。
【００２２】
【発明の効果】
以上説明したように、この発明に係る水切りキャビネットによれば、流し台と居室内側との間に配設される対面式キッチン等のカウンターキャビネットに水切り収納機能を持たせることで、カウンターキャビネットのデッドスペースを大幅に削減し、流し台回りの洗い物の収納性を大幅に向上させて使い勝手を改善することができると共に、補強用リブの一部には、水切りされた水を流し台のシンクへと流す排水溝を切削形成したので、収納体内で水切りした水をシンクへと自動的に排水することができ、水仕舞いを良好にすることができる等、幾多の優れた効果を奏する。
【図面の簡単な説明】
【図１】この発明の実施の一形態例に係る水切りキャビネットの斜視図である。
【図２】同水切りキャビネットのキャビネット本体と水切り収納体の構成を示す斜視図である。
【図３】同水切り収納体および水切り体の分解斜視図である。
【符号の説明】
Ｋ  水切りキャビネット
Ｓ  流し台
１  バックガード
２  ボックス部
３  キャビネット本体
４  水切り収納体
４Ａ  短尺収納体
４Ｂ  長尺収納体
５  水切り体
１３  底部
１４  天板部
１５Ａ，１５Ａ’，１５Ｂ，１５Ｂ’，１５Ｃ，１５Ｃ’  補強用リブ
１６  排水溝
【図１】
0003684042.tif 000002
【図２】
0003684042.tif 000003
【図３】
0003684042.tif 000004